(57)【要約】【課題】  冷蔵庫などの扉体の開閉を確実に規制できる扉開き防止装置を安価に提供することを目的としている。【解決手段】  冷蔵庫Ｒの扉体Ｄの戸当たりＤ１を挟んで対向的に対置されるベース部間２，３と、同ベース部間に架け渡されるレバー部４とを有し、第１ベース部２の係止凸部２３に形成されるフック部４３の係止面を逆テーパー形状に形成する。【選択図】  図１
2006348619.tif 000002
【特許請求の範囲】
【請求項１】
扉体の戸当たりを挟んだ被取付面の所定位置に対向的に配置される一対のベース部を含み、一方のベース部には凸状の係止部が設けられ、他方のベース部には閉扉時に上記係止部に係止するフック部を有し、バネ手段により係止方向に付勢されたレバーが設けられている扉開き防止装置において、
上記フック部は、上記係止部に対向する係止面が逆テーパー形状であることを特徴とする扉開き防止装置。
【請求項２】
上記係止部の上記フック部に対向する対向面も逆テーパー形状であることを特徴とする請求項１に記載の扉開き防止装置。
【請求項３】
上記各ベース部には、所定の固定手段を介して上記被取付面に取り付けられる取付板が差し込まれるガイド溝が設けられており、上記ガイド溝は、上記ベース部の両端間にかけて形成されており、上記取付板は、上記ベース部の両端のいずれかの方向からでも上記ガイド溝に挿入可能に設けられていることを特徴とする請求項１または２に記載の扉開き防止装置。
【請求項４】
上記固定手段は延伸剥離テープからなり、上記取付板は、少なくとも上記延伸剥離テープのつまみ部を露出させる大きさを有し、上記ベース部は、上記延伸剥離テープを含む上記取付板全体を覆い隠す大きさを備えていることを特徴とする請求項１，２または３に記載の扉開き防止装置。
【発明の詳細な説明】
【技術分野】
【０００１】
本発明は、幼児などが勝手に扉などを開かないようにするための扉開き防止装置に関し、さらに詳しく言えば、冷蔵庫の扉体に好適な扉開き防止装置に関する。
【背景技術】
【０００２】
３〜６歳の知育発達時の幼児は、目に入るもの全てに興味を覚え、手で触れたり口に入れるなどして、知恵を徐々に付けていくが、例えば食器などの壊れやすいものや、薬や刃物、ライターなどの危険物には、できる限り触れさせない方がよい。
【０００３】
そこで、幼児がこのような事故を起こさないようにするための防止装置、いわゆるチャイルドロック装置が各種提案されている。チャイルドロック装置の１つとして、食器棚などの扉体の扉開き防止装置がある。
【０００４】
例えば特許文献１に示すように、扉開き防止装置は、家具の扉体の戸当たりを挟んで対称位置に取り付けられる一対のベース部と、戸当たりを跨いで上記各ベース部間に架け渡されるアーム部とを有し、これにより、子供がいたずらに扉を開くことを防止している。
【０００５】
ところで、背の高い冷蔵庫などのように幼児の手が届かない高さの所に取り付けるのであれば、特許文献１のような複雑なロック機構を持たずとも、単に扉の開閉を規制することができればよい。この種の簡単なロック機構としてはラッチロック式のフック構造がある。
【０００６】
このラッチロック式のフック構造では、先端にフックを有し、バネにより閉方向に付勢されたレバーと、凸状の係止部を有する受け具とを備え、扉が閉じられる際、フックが係止部を乗り越えて係止部に係止される。しかしながら、冷蔵庫などの扉体にこの種のフック構造を備えた扉開き防止装置を用いた場合、次のような問題があった。
【０００７】
すなわち、冷蔵庫は、筐体とドアの間に冷気を逃がさないようにするためのマグネットクッションを備えているため、ドアに衝撃が加わると、そのクッションの吸収反発によって、レバーに負荷がかかりロックが解錠されてしまうことがしばしばあった。また、ロックが外れるだけならまだしも、ロックが外れることで、扉が開きっぱなしになるおそれもある。
【０００８】
また、この種の扉開き防止装置は、一般的に両面粘着テープを介して取り付けられるが、幼児の安全対策が必要な期間は３年程度である。したがって、その期間を過ぎると、外すことになるが、その際、被取付面に両面粘着テープの糊が残り、それによって被取付面が汚れてしまうという問題もある。
【０００９】
【特許文献１】特開２００４−３６０１９２号公報
【発明の開示】
【発明が解決しようとする課題】
【００１０】
そこで、本発明は上述した問題を解決するためになされたものであって、冷蔵庫などの扉体の開閉を簡単かつ確実に規制できる扉開き防止装置を安価に提供することを目的としている。
【課題を解決するための手段】
【００１１】
上述した目的を達成するため、本発明は以下に示すいくつかの特徴を備えている。請求項１に記載の発明は、扉体の戸当たりを挟んだ被取付面の所定位置に対向的に配置される一対のベース部を含み、一方のベース部には凸状の係止部が設けられ、他方のベース部には閉扉時に上記係止部に係止するフック部を有し、バネ手段により係止方向に付勢されたレバーが設けられている扉開き防止装置において、上記フック部は、上記係止部に対向する係止面が逆テーパー形状であることを特徴としている。
【００１２】
請求項２に記載の発明は、上記請求項１において、上記係止部の上記フック部に対向する対向面も逆テーパー形状であることを特徴としている。
【００１３】
請求項３に記載の発明は、上記請求項１または２において、上記各ベース部には、所定の固定手段を介して上記被取付面に取り付けられる取付板が差し込まれるガイド溝が設けられており、上記ガイド溝は、上記ベース部の両端間にかけて形成されており、上記取付板は、上記ベース部の両端のいずれかの方向からでも上記ガイド溝に挿入可能に設けられていることを特徴としている。
【００１４】
請求項４に記載の発明は、上記請求項１，２または３において、上記固定手段は延伸剥離テープからなり、上記取付板は、少なくとも上記延伸剥離テープのつまみ部を露出させる大きさを有し、上記ベース部は、上記延伸剥離テープを含む上記取付板全体を覆い隠す大きさを備えていることを特徴としている。
【発明の効果】
【００１５】
本発明によれば、フック部の係止面を逆テーパー形状としたことにより、扉に衝撃が加わっても、係止部をフック部で確実に補足することができ、ロックが解除されるのを防止することができる。さらには、取付場所に応じて取付板の位置を自在に変えることができ、延伸剥離テープを綺麗に隠すことができる。
【発明を実施するための最良の形態】
【００１６】
次に、本発明の実施形態について図面を参照しながら説明するが、本発明はこれに限定されない。図１は本発明の一実施形態に係る扉開き防止装置の使用状態を示す斜視図，図２は上記扉開き防止装置の解錠状態を示す斜視図，図３（ａ）〜（ｄ）は上記扉開き防止装置の正面図，背面図，底面図，正面図，中央横断面図，図４はベース部の分解背面図である。
【００１７】
この例では、扉開き防止装置は冷蔵庫用としているが、回転式の片開扉，スライド式の片開き扉、両開き扉、または引き出しであれば、食器棚などの各種家具にも適用可能である。
【００１８】
図１に示すように、この扉開き防止装置１は、冷蔵庫本体Ｒと扉体Ｄとの戸当たりＤ１を挟んで冷蔵庫本体Ｒの側面と扉体Ｄの端面に対向的に取り付けられる一対のベース部２，３と、同ベース部２，３の間に架け渡されるレバー部４とを備えている。この例において、ベース部２，３およびアーム部４はともに、合成樹脂の成型品からなる。
【００１９】
図２および図３（ｄ）を参照して、一方のベース部２（以下、第１ベース部２とする）は、矩形状に形成された基台２１と、同基台２１の裏面側に着脱可能に取り付けられる取付板２２とを備えている。
【００２０】
基台２１の前面にはレバー部４に係止される係止凸部２３が突設されている。係止凸部２３は基台２１に対して垂直な係止面２３１と、係止面２３１から基台２１の表面に向かって漸次高さが減少するテーパー面２３２とを備えている。
【００２１】
テーパー面２３２は、扉体Ｄの閉じる方向（図３（ｄ）では右から左方向で、他方のベース部３に近づく方向）に向かって傾斜する傾斜面であり、扉体Ｄの閉扉時にテーパー面２３２を乗り越えてレバー部４が係止面２３１に落とし込まれることで、開方向への移動が規制される。
【００２２】
図４を併せて参照して、基台２１の裏面の両側には、取付板２２が差し込まれるガイド溝２１１，２１１が設けられている。各ガイド溝２１１は、図３（ｄ）に示すように、両端が断面コ字状に形成されており、その間に取付板２２の両端がスライド可能に挟み込まれている。この例において、ガイド溝２１１，２１１が両端に形成されているが、これ以外に、例えば底面中央にキー溝を形成し、取付板２２側にキー溝に合致するキーを形成して、これらをスライド可能に取り付けてもよい。
【００２３】
ガイド溝２１１，２１１の一部分には、取付板２２の両側に設けられている係止凸部２２３，２２３と嵌合する係止溝２１２，２１２が設けられている。この例において、係止溝２１２，２１２は、取付板２２が上方向，下方向のいずれかに差し込まれてもよく、かつ、化粧板２４の嵌合用として、ガイド溝２１１，２１１の上端側および下端側にそれぞれ２カ所（合計４カ所）設けられている。
【００２４】
取付版２２は、両面粘着テープＴが貼り付けられる貼付面２２１を有する板状体からなり、両側面には、基台２１側のガイド溝２１１，２１１に沿って取付板２２を差し込むためのガイドリブ２２２，２２２が設けられている。ガイドリブ２２２，２２２は、平行なレール状に形成されており、その側部には、ガイド溝２１１，２１１の切欠部２１２，２１２に嵌合する上記した凸部２２３，２２３が設けられている。
【００２５】
取付板２２の端部（図５では上端）には、基台２１に対して差し込む際の結合位置を決めるストッパー２２４が設けられている。ストッパー２２４は、取付板２２の幅よりも大きな幅を有する拡径部からなり、ストッパー２２４が基台２１の端部に当接することにより、取付板２２が定位置で止まる。
【００２６】
この例において、取付板２２には、被取付面に取り付けるための両面粘着テープとして、テープ基材を鉛直方向に引っ張ることで、粘着力が低下し、糊残りを生じさせることなくきれいに剥がせる延伸剥離テープＴが用いられる。
【００２７】
ガイド溝２１１，２１１は、その両端が基台２１の両端（図４では上下端）に向けて開放されている。これによれば、例えば冷蔵庫Ｒの上に天井などがあって、取付板２２を上から差し込めないような場合であっても、ベース部２の下側から取付板２２を差し込んで取り付けることができる。
【００２８】
延伸剥離テープＴは、そのつまみ部Ｔ１が取付板２２からはみ出すように取り付けられるが、つまみ部Ｔ１のはみ出した状態が外から見えることは見映え状好ましくない。そこで、本発明では、基台２１を取付板２２よりも少なくとも上記つまみ部Ｔ１分だけ大きく形成し、つまみ部Ｔ１が外から見えないようにしている。
【００２９】
また、意匠上の観点から、基台２１の下端側には、その下端側の開口部を塞ぐための化粧板２４が設けられている。図４に示すように、化粧板２４は、ガイド溝２２１，２１１に沿って差し込まれるガイド部２４１と、ガイド部２４１の一端側に一体的に形成されるストッパー２４２とを備えており、この化粧板２４を反取付板２２側の開口部に挿入することにより、基台２１は上下対称形になる。化粧板２４の側面には、係止溝２１２，２１２に嵌合される凸状のストッパー２４３，２４３が設けられている。
【００３０】
再び、図３（ａ）〜（ｄ）を参照して、他方のベース部３（以下、第２ベース部３とする）は、上記第１ベース部２と同じ矩形状の基台３１を有し、基台３１には、レバー部４が垂直回転軸を中心に傾動可能に取り付けられている。
【００３１】
なお、基台３１の裏面にも取付板３２が設けられるが、取付板３２の構成は、上記第１ベース板２の取付板２２と同一であるため、その説明は省略する。
【００３２】
基台３１には、レバー部４を軸支する台座部３４が設けられている。台座部３４は、基台３１の中央部分に突設されており、その両端（図２では上下端）には、レバー部４を軸支する支軸３４１，３４１が同軸的に設けられている。
【００３３】
この支軸３４１，３４１にレバー部４の両側面に設けられた軸受孔４１，４１を取り付けることにより、レバー部４は、支軸３４１，３４１を中心に傾動可能に軸支される。基台３１にはさらに、レバー部４を、その自由端（図３（ｄ）では右端）を常に第１ベース部２側に押し付けるためのバネ部材３５が設けられている。
【００３４】
図３（ｄ）に示すように、バネ部材３５は、板状の金属片をくの字型に折り曲げた板バネからなり、基台３１とレバー部４との間に挟み込まれている。これにより、レバー部４の自由端側は、対向する第１ベース部２に向けて常に押し付けられる。なお、バネ部材３５は板バネに代えて、例えば圧縮バネなどであってもよい。
【００３５】
レバー部４は、各ベース部２，３の間に架け渡される矩形状の板体からなり、内側が凹む断面コ字状に形成されている。レバー部４の側面には、上述した軸受孔４１，４１が設けられており、その表面には、指を押圧する目安となる凹部４２が設けられている。
【００３６】
図３（ｄ）に示すように、レバー部４の自由端（先端）には、第１ベース部２の係止凸部２３に係止されるフック部４３が設けられている。フック部４３は、係止凸部２３の係止面２３１に対向的に配置されるフック面４３１を有し、同フック面４３１は、係止面２３１に対して逆テーパー（９０°未満）に形成されている。すなわち、フック面４３１はその先端部が係止凸部２３の付け根部分に当接するように傾斜されている。
【００３７】
これによれば、例えば扉体Ｄを強い衝撃で閉じた場合、図示しないマグネットクッションの反発力によって扉体Ｄが押し戻され、第１ベース部２が図３（ｄ）において右側に移動しようとする際、係止凸部２３とフック面４３１とがそれらの面同士で噛み合うため、確実に係止状態を維持することができる。
【００３８】
この例において、対向する係止面２３は基台２１に対して垂直面とされているが、フック面４３１に対して平行な逆テーパー面として形成してもよい。これによれば、より強固に係止することができる。なお、その場合は、扉体Ｄを少し押して係止状態を緩めた上でレバー部４を持ち上げることでロックが解除される。
【００３９】
なお、扉体Ｄを閉じていく際、フック部４３は係止凸部２３側のテーパー面２３２を乗り越えて係止凸部２３を補足する。
【００４０】
次に、この扉開き防止装置１の使用手順の一例について説明する。まず、予め図２のように組み立てられた状態の扉開き防止装置１の各ベース部２，３の取付板２２，２２に両面粘着テープとしての延伸剥離テープＴをそのつまみ部Ｔ１がはみ出すように貼り付ける。
【００４１】
次に、図１に示すように冷蔵庫本体Ｒと扉体Ｄとの戸当たりＤ１を挟むようにして、第１ベース部２と第２ベース部３とを冷蔵庫本体Ｒの側面と扉体Ｄの端面に貼り付ける。これにより、戸当たりＤ１を跨ぐようにアーム部４が架け渡されることで、扉体Ｄの開閉が規制される。
【００４２】
このロックを解除するに当たっては、片手で第２ベース部３に取り付けられたレバー部４の凹部４２を押すだけでよい。すなわち、レバー部４の凹部４２を押圧することで、レバー部４の自由端側（フック部４３側）は、バネ部材３５の押圧力に抗して持ち上げられ、フック部４３が係止凸部２３から離反することにより、ロックが解除される。その結果、扉体Ｄが開閉可能な状態になる。
【００４３】
再度ロックをかけるに当たっては、扉体Ｄを通常のように閉じればよい。すなわち、扉体Ｄを閉じていくにしたがって、アーム部４のテーパー部４４が係止凸部２３側のテーパー面２３２上に沿って移動し、最終的にを乗り越えて係止面２３１に係止することで、ロック状態となる。
【００４４】
また、例えば扉開き防止装置１が不要となって冷蔵庫から取り外すには、まず、冷蔵庫本体Ｒと扉体Ｄに取り付けられている各ベース部２，３の基台２１，３１を上に持ち上げて取り外す。これにより、壁面には取付板２２，３２のみが残された状態となる。
【００４５】
そこで、使用者は、一方の手で取付板２２，３２を押さえ付けて、他方の手で取付板２２，３２の下端からはみ出している延伸剥離テープＴのつまみ部Ｔ１を把持し、下方に引っ張る。これにより、延伸剥離テープＴは延伸され、その粘着力の低下により壁面から引き剥がされる。このようにして、延伸剥離テープＴを剥がし取ることにより、糊残りを生じさせることなく、簡単かつ綺麗に取付板２２，３２を剥がすことができる。
【００４６】
この例において、扉開き防止装置１は、冷蔵庫本体Ｒの側面に第１ベース部２が取り付けられ、扉体Ｄの端面にレバー部４を有する第２ベース部３が取り付けられているが、場合によっては、逆に、冷蔵庫本体Ｒ側に第２ベース部３を設置し、扉体Ｄ側に第１ベース部２を設置してもよい。
【００４７】
この実施形態において、扉開き防止装置１は、所定の回転軸を中心に回転する回転式のの扉体に適用した場合について例示したが、これ以外に、野菜室や冷凍室などの扉体としてよく用いられる引き出し式の扉体に適用してもよい。また、その適用対象は冷蔵庫だけに限られず、片開き式の扉体、スライド式の片開き、両開き扉であれば、キャビネットなどの各種家具類の扉や引き出しに取り付けて使用してもよい。
【図面の簡単な説明】
【００４８】
【図１】本発明の一実施形態に係る扉開き防止装置を冷蔵庫に適用した状態を示す斜視図。
【図２】上記扉開き防止装置のレバー部を持ち上げた状態の斜視図。
【図３】（ａ）：上記扉開き防止装置の正面図、（ｂ）：上記扉開き防止装置の背面図、（ｃ）：上記扉開き防止装置の平面図、（ｄ）上記扉開き防止装置の正面図中央横断面図。
【図４】取付板の取付状態を説明する第１ベース部の分解背面図。
【符号の説明】
【００４９】
１  冷蔵庫用扉開き防止装置
２  第１ベース部
２１  基台
２２  取付板
２３  係止凸部
２４  化粧板
３  第２ベース部
３１  基台
３２  取付板
３３  化粧板
３４  台座部
３５  バネ部材
４  レバー部
４１  軸受孔
４２  凹部
４３  フック部
４４  テーパー部
Ｒ  冷蔵庫本体
Ｄ  扉体
Ｄ１  戸当たり
【図１】
2006348619.tif 000003
【図２】
2006348619.tif 000004
【図３】
2006348619.tif 000005
【図４】
2006348619.tif 000006